(57)【要約】【課題】プラズマディスプレイ装置において、異常を検出するまでの時間を短縮して部品が焼損に至るのを防ぐことを目的とする。【解決手段】プラズマディスプレイパネル１のアドレス電極に表示データを供給するためのアドレスドライバ回路２への電流を検出する電流検出手段９を設け、電源投入直後にアドレスドライバ回路２に対して検査用の特定画像データを特定画像データ供給手段８から出力し、このときのアドレスドライバ２ａ〜２ｎの消費電流を電流検出手段９で測定し、メモリ１２に格納している正常時の消費電流のデータと比較する。設定した誤差以上であれば異常と判定し、異常の場合は電源をオフするものである。【選択図】　図２
2004045817.tif 000002
【特許請求の範囲】
【請求項１】
放電空間を形成して対向する一対の基板上に複数列の表示電極とこの表示電極に交差するように対向配置される複数列のアドレス電極とを設けることにより構成された複数の放電セルを有するプラズマディスプレイパネルと、このプラズマディスプレイパネルの前記アドレス電極に表示データを供給するための複数のアドレスドライバからなるアドレスドライバ回路と、電源投入直後にアドレスドライバに対して検査用の特定画像データを供給する特定画像データ供給手段とを有し、この特定画像データをアドレスドライバに供給したときのアドレスドライバの消費電流を検出する電流検出手段と、この電流検出手段からの検出データとメモリに格納している正常時の消費電流のデータとを比較し設定した誤差以上であれば異常と判定して電源をオフする判定手段とを備えたことを特徴とするプラズマディスプレイ装置。
【請求項２】
検査用の画像データは全アドレスドライバに対して同時に、もしくは各アドレスドライバに対して順次供給することを特徴とする請求項１に記載のプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
プラズマディスプレイ装置は、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
一般に、このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００４】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００５】
このようなプラズマディスプレイ装置において、これまでアドレス電極に表示データを供給するアドレスドライバに対する異常検出としては、電源の電圧を常時監視し、電圧値がある許容幅を超えたら異常と判断し、電源をオフしていた。しかし、表示内容により負荷が大きく変わり安定しないため、検査のマージンを大きくしなければならなく、また全アドレスドライバ共通の電源の監視を行っているため、負荷が大きく変動するまで異常が検出できない。そのため検出が遅く部品が焼損にいたることがあった。焼損しない場合は異常が検出できてもどのアドレスドライバ部が異常か判別できなかった。
【０００６】
【発明が解決しようとする課題】
本発明はこのようなプラズマディスプレイ装置において、検出の精度を上げ、異常を検出するまでの時間を短縮して部品が焼損に至るのを防ぐことを目的とする。
【０００７】
【課題を解決するための手段】
上記目的を達成するために本発明のプラズマディスプレイ装置は、プラズマディスプレイパネルのアドレス電極に表示データを供給するためのアドレスドライバ回路への電流を検出する電流検出手段を設け、電源投入直後にアドレスドライバ回路に対して検査用の特定画像データを特定画像データ供給手段から出力し、このときのアドレスドライバの消費電流を電流検出手段で測定し、メモリに格納している正常時の消費電流のデータと比較し、設定した誤差以上であれば異常と判定して電源をオフするものである。
【０００８】
この構成により、電源投入直後に毎回特定の表示でのアドレスドライバでの消費電流値の測定を行うことにより検出の精度を上げることができ、異常を検出するまでの時間が短縮され、部品が焼損にいたるのを防ぐことができる。また、アドレスドライバごとに消費電流を測定することにより、どこのアドレスドライバが異常であるかも判別できる。
【０００９】
【発明の実施の形態】
以下、本発明の一実施の形態によるプラズマディスプレイ装置について、図１〜図４を用いて説明するが、本発明の実施の態様はこれに限定されるものではない。
【００１０】
図１に、本実施の形態におけるプラズマディスプレイ装置の表示駆動回路の全体構成を示しており、まずプラズマディスプレイ装置の全体構成について説明すると、プラズマディスプレイパネル（ＰＤＰ）１、アドレスドライバ回路２、スキャンドライバ回路３、サステインドライバ回路４、放電制御回路５、画像処理部６、電源回路７を備えている。
【００１１】
ＰＤＰ１には、ガラス基板などの透明な前面側の基板上に、スキャン電極とサステイン電極とで対をなすストライプ状の表示電極が複数列形成されている。また前記前面側の基板に対向配置される背面板の基板にはスキャン電極及びサステイン電極の表示電極と交差するように複数列のストライプ状のアドレス電極が形成されている。
【００１２】
入力してきた映像信号を画像処理部６を経由してアドレスドライバ回路２にシリアルに出力する。アドレスドライバ回路２は、電源回路７に接続されており、パラレルデータに変換し、そのパラレルデータに基づいて複数のアドレス電極に電圧を供給する。
【００１３】
放電制御回路５は、放電制御タイミング信号ＳＣ、ＳＵを発生し、各々スキャンドライバ回路３及びサステインドライバ回路４に与える。これらのスキャンドライバ回路３及びサステインドライバ回路４は共通の電源回路７に接続されている。スキャンドライバ回路３は、放電制御回路５から与えられる放電制御タイミング信号ＳＣに応答して複数のスキャン電極に順に駆動信号電圧を供給する。サステインドライバ回路４は、放電制御回路５から与えられる放電制御タイミング信号ＳＵに応答して複数のサステイン電極に順に駆動信号電圧を供給する。
【００１４】
上記のアドレス電極へ供給するデータ波形とスキャン電極へ供給する駆動信号波形によりＰＤＰ１においてアドレス放電を行い、放電セルを選択した後、スキャン電極とサステイン電極との間に、交互に反転する周期的な維持パネルを印加することにより、スキャン電極とサステイン電極との間で維持放電を行い、所定の表示を行うものである。
【００１５】
図２に本実施の形態による要部構成を示しており、図２を用いて本発明の特徴とする構成について、さらに説明すると、図２に示すように、放電空間を形成して対向する一対の基板上に複数列の表示電極とこの表示電極に交差するように対向配置される複数列のアドレス電極とを設けることにより構成された複数の放電セルを有するＰＤＰ１と、このＰＤＰ１の前記アドレス電極に表示データを供給するための複数のアドレスドライバ２ａ〜２ｎからなるアドレスドライバ回路２とを有し、電源投入直後に特定画像データ供給手段８からの画像データを画像処理部６でデータ変換し、アドレスドライバ回路２に対してデータを供給するように構成されている。そして、アドレスドライバ回路２は電源回路７から電源を供給されており、前記特定画像データをアドレスドライバ回路２に供給したときのアドレスドライバ２ａ〜２ｎの消費電流は電流検出手段９で検出され、この電流検出手段９からの検出データをＡＤ変換部１０でＡＤ変換した値とメモリ１２に格納している正常時の消費電流のデータを判定手段１１にて比較される。設定した誤差以上であれば異常と判定し、異常の場合は電源をオフし、正常の場合は検査終了後に通常の表示を始める。
【００１６】
ここで、上記検査用の特定画像データの出力タイミングと電流検出のタイミングについては、図３に示すように全アドレスドライバ２ａ〜２ｎに同時に検査用のデータを出力し、電流測定も全アドレスドライバ２ａ〜２ｎの総和を電流検出手段９で測定して判定を行う構成、もしくは図４に示すように検査用の画像データをアドレスドライバ２ａ〜２ｎに別々に順次出力し、そしてこの各々の出力タイミングに合わせて各々のアドレスドライバ２ａ〜２ｎへの消費電流を電流検出手段９で測定して判定を行う構成のいずれかの方法でもよい。
【００１７】
すなわち、本発明のプラズマディスプレイ装置において、ＰＤＰ１のアドレス電極に表示データを供給するためのアドレスドライバ回路２への電流を検出する電流検出手段９を設け、電源投入直後にアドレスドライバ回路２に対して検査用の特定画像データを特定画像データ供給手段８から出力し、このときのアドレスドライバ回路２の消費電流を電流検出手段９で測定し、メモリ１２に格納している正常時の消費電流のデータと比較し、設定した誤差以上であれば異常と判定して電源をオフするものであり、電源投入直後に毎回特定の表示でのアドレスドライバ回路２での消費電流値の測定を行うことにより、検出の精度を上げることができ、異常を検出するまでの時間が短縮され、部品が焼損にいたるのを防ぐことができる。また、アドレスドライバ２ａ〜２ｎごとに消費電流を測定することにより、どこのアドレスドライバ２ａ〜２ｎが異常であるかも判別できるものである。
【００１８】
【発明の効果】
以上の説明から明らかなように本発明によるプラズマディスプレイ装置によれば、電源投入直後に毎回特定の表示でのアドレスドライバ回路の消費電流値の測定を行うことにより毎回安定した値が測定でき、そのため負荷の変動に対して検出の精度が上がるため、異常を検出するまでの時間が短縮され、焼損にいたるのを防ぐことができる。また、アドレスドライバ回路の各アドレスドライバに順次出力すれば、より安定した値が得られ、またどこのアドレスドライバが異常であるかも判別することができるという効果が得られる。
【図面の簡単な説明】
【図１】本発明の一実施の形態によるプラズマディスプレイ装置の表示駆動回路の全体構成を示すブロック図
【図２】プラズマディスプレイ装置の要部の構成を示すブロック図
【図３】全アドレスドライバに同時に検査画像を出力して検査する場合のタイミング図
【図４】各アドレスドライバに順次検査画像を出力して検査する場合のタイミング図
【符号の説明】
１　プラズマディスプレイパネル（ＰＤＰ）
２　アドレスドライバ回路
３　スキャンドライバ回路
４　サステインドライバ回路
５　放電制御回路
６　画像処理部
７　電源回路
８　特定画像データ供給手段
９　電流検出手段
１０　ＡＤ変換部
１１　判定手段
１２　メモリ
【図１】
2004045817.tif 000003
【図２】
2004045817.tif 000004
【図３】
2004045817.tif 000005
【図４】
2004045817.tif 000006